(57)【要約】  【課題】  上下複数段の商品陳列棚のポップ紙保持装置にポップクリップを各々設置して、１枚の縦長のポップ紙を挟持する場合であっても、ポップ紙保持装置のカードホルダー部を少なくとも６０度回動可能にするポップクリップ及びポップクリップ装着ポップ紙保持装置を提供すること。【解決手段】  上下方向の長さ（Ｈ１）が５０〜９０ｍｍのケース状の挟持部１と、挟持部１の下方側に固設されるクリップ支持部２と、クリップ支持部２に回動自在に軸支されるクリップ部３とからなり、軸支中心ａが、鉛直方向に対して挟持部１の下端ｃから上方へ１０ｍｍ（Ｈ２）の位置より下方にある。【選択図】        図３
0003107283.tif 000002
【実用新案登録請求の範囲】
【請求項１】
上下方向の長さ（Ｈ１）が縦長のケース状の挟持部と、
該挟持部の下方側に固設されるクリップ支持部と、該クリップ支持部に回動自在に軸支されるクリップ部とからなり、該軸支中心が、鉛直方向に対して該挟持部の下端から上方へ１０ｍｍ（Ｈ２）の位置から該挟持部の下端から１５ｍｍの位置で区画される範囲にあることを特徴とするポップクリップ。
【請求項２】
前記ケース状の挟持部は、正面視が矩形状の挟持部本体と、該挟持部本体から屈曲し、内側に延出する上下一対の係り止め部を備えることを特徴とする請求項１項記載のポップクリップ。
【請求項３】
該軸支中心が、鉛直方向の上端位置が該挟持部の下端から上方へ１０ｍｍ、鉛直方向の下端位置が該挟持部の下端、水平方向の左端位置が該挟持部本体の表面から１５ｍｍ離れた位置、水平方向の右端位置が該挟持部本体の表面から６ｍｍ離れた位置で区画される矩形状領域と、該挟持部の下方係り止め部の屈曲内側部分の最下点を中心に半径７．２〜半径１６．２ｍｍの範囲で区画され且つ該下方係り止め部の屈曲内側部分の最下点から延出する鉛直線及び水平線で区画される１/４輪状領域の両方の領域にあることを特徴とする請求項２記載のポップクリップ。
【請求項４】
上下方向の長さ（Ｈ１）が縦長のケース状の挟持部と、
該挟持部の下方側に固設されるクリップ支持部と、該クリップ支持部に回動自在に軸支されるクリップ部とからなり、該挟持部の上端と該軸支中心を結ぶ直線距離（Ｈ３）が、該挟持部の上下方向の長さ（Ｈ１）の０．８〜１．２倍であることを特徴とするポップクリップ。
【請求項５】
該挟持部の上端と該軸支中心を結ぶ直線距離（Ｈ３）が、該挟持部の上下方向の長さ（Ｈ１）の０．９〜１．１倍であることを特徴とする請求項４記載のポップクリップ。
【請求項６】
該クリップ部は、バネ装着された一対のクリップ本体部と、該一対のクリップ本体部の一方から延出する略半円形断面の軸支円板部を有し、該略半円形断面の軸支円板部の端面と、該端面と当接する該クリップ支持部に内蔵されたに当接板とでラチェット機構を構成することを特徴とする請求項１〜５のいずれか１項記載のポップクリップ。
【請求項７】
該クリップ部は、該クリップ支持部に対して、少なくとも９０度回動自在であることを特徴とする請求項１〜６のいずれか１項記載のポップクリップ。
【請求項８】
該クリップ支持部は、該挟持部の固定位置から斜め下方に延出するものであることを特徴とする請求項１〜７のいずれか１項記載のポップクリップ。
【請求項９】
該ポップが、陳列される商品情報等が記載されたポップ紙又はポップ板であることを特徴とする請求項１〜８のいずれか１項記載のポップクリップ。
【請求項１０】
請求項１〜９のいずれか１項記載のポップクリップを商品陳列棚のＰＯＳレールに装着されるポップ紙保持装置の上方に回動可能なカードホルダー部に装着してなることを特徴とするポップクリップ装着ポップ紙保持装置。
【請求項１１】
上下複数段の商品陳列棚に該ポップクリップの複数個を、各段毎に１個ずつ鉛直方向に並べて装着し、１枚の縦長のポップを各クリップで挟持することを特徴とする請求項１０記載のポップクリップ装着ポップ紙保持装置。
【請求項１２】
１枚の縦長のポップを各ポップクリップで挟持したまま、該カードホルダー部を少なくとも６０度回動可能であることを特徴とする請求項１１記載のポップクリップ装着ポップ紙保持装置。
【請求項１３】
該カードホルダー部を７０度回動可能であることを特徴とする請求項１２記載のポップクリップ装着ポップ紙保持装置。
【考案の詳細な説明】
【技術分野】
【０００１】
本考案は、スーパーなどの商品陳列棚のＰＯＳレールに装着されるポップ紙保持装置の上方に回動可能なカードホルダー部に装着して使用されるポップクリップ及びポップクリップ装着ポップ紙保持装置に関するものである。
【背景技術】
【０００２】
従来、スーパーなどの商品陳列棚の前端部には、陳列商品の商品名や価格等を表示したカード類を装着するＰＯＳ（point of sales）レールが付設されている。しかし、このＰＯＳレールは、商品陳列棚の前端部に付設されるため、高さ寸法が制限され、商品名や価格等の表示が小さくならざるを得ない。これを解消するものとして、ＰＯＳレール溝に装着して用いる高さ寸法が大きなカードホルダー部を有するポップ紙保持装置がある。カードホルダー部は、高さ寸法が大きいため、元来あるＰＯＳレールの表示を覆い隠してしまう。このため、カードホルダー部の上方端を軟質のヒンジ機構などを用いてＰＯＳレール溝に装着された基板に接続し、カードホルダー部を上方に回動可能にして、ＰＯＳレールの表示が見られるようにしたり、また、作業者がＰＯＳレールの表示を変更する作業を容易にしている。ポップ紙保持装置は当該商品陳列棚にある陳列商品情報を見やすく表示するには好適である。
【０００３】
近年、上下の商品陳列棚にある商品を一枚の縦長のポップ紙で見やすく表示するために、更にポップ紙保持装置のカードホルダー部に装着されて用いるポップクリップがある。その一例を図１１〜図１３を参照して説明する。図１１は側面図、図１２は正面図及び図１３は一部を断面で示す平面図である。このポップクリップ２００は、上下一対の係り止め部を有するケース状の挟持部２０１と、該挟持部２０１のほぼ中央に固設されるクリップ支持部２０２と、クリップ支持部２０２に回動自在に軸支されるクリップ部２０３とからなるものである。このポップクリップ２００を用いれば、一枚の縦長のポップ紙に縦書きされた商品情報を見やすくできる。
【考案の開示】
【考案が解決しようとする課題】
【０００４】
しかしながら、例えば上下２段の商品陳列棚１００、１００に、このポップクリップ２０を、各段毎に１個ずつ鉛直方向に沿ってポップ紙保持装置２０のカードホルダー部２６に装着し、１枚の縦長のポップ紙Ａを挟持により支持する場合、ＰＯＳレールの表示を変更するなどのため、カードホルダー部２６をめくり上げると、ポップ紙Ａとカードホルダー部２６とが接触してカードホルダー部２６が上がらないという問題がある（図１４）。これではカードホルダー部２６を上方へ回動することにより、ＰＯＳレールの表示を見たり、変更したりするというポップ紙保持装置２０の最大の機能が発揮されない。
【０００５】
従って、本考案の目的は、上下複数段の商品陳列棚のポップ紙保持装置にポップクリップを各々設置して、１枚の縦長のポップ紙を挟持する場合であっても、該縦長のポップを各ポップクリップで挟持したまま、ポップ紙保持装置のカードホルダー部を少なくとも６０度回動可能にするポップクリップ及びポップクリップ装着ポップ紙保持装置を提供することにある。
【課題を解決するための手段】
【０００６】
かかる実情において、本考案者は鋭意検討を行った結果、クリップ部の軸支中心が、挟持部の下方側の特定位置させれば、上記従来の課題を解決できることを見出し、本考案を完成するに至った。
【０００７】
すなわち、本考案（１）は、上下方向の長さ（Ｈ１）が縦長のケース状の挟持部と、該挟持部の下方側に固設されるクリップ支持部と、該クリップ支持部に回動自在に軸支されるクリップ部とからなり、該軸支中心が、鉛直方向に対して該挟持部の下端から上方へ１０ｍｍ（Ｈ２）の位置から該挟持部の下端から１５ｍｍの位置で区画される範囲にあるポップクリップを提供し、本考案（２）は、前記ケース状の挟持部は、正面視が矩形状の挟持部本体と、該挟持部本体から屈曲し、内側に延出する上下一対の係り止め部を備える前記ポップクリップを提供し、本考案（３）は、該軸支中心が、鉛直方向の上端位置が該挟持部の下端から上方へ１０ｍｍ、鉛直方向の下端位置が該挟持部の下端、水平方向の左端位置が該挟持部本体の表面から１５ｍｍ離れた位置、水平方向の右端位置が該挟持部本体の表面から６ｍｍ離れた位置で区画される矩形状領域と、該挟持部の下方係り止め部の屈曲内側部分の最下点を中心に半径７．２〜半径１６．２ｍｍの範囲で区画され且つ該下方係り止め部の屈曲内側部分の最下点から延出する鉛直線及び水平線で区画される１/４輪状領域の両方の領域にある前記ポップクリップを提供し、本考案（４）は、上下方向の長さ（Ｈ１）が縦長のケース状の挟持部と、該挟持部の下方側に固設されるクリップ支持部と、該クリップ支持部に回動自在に軸支されるクリップ部とからなり、該挟持部の上端と該軸支中心を結ぶ直線距離（Ｈ３）が、該挟持部の上下方向の長さ（Ｈ１）の０．８〜１．２倍であるポップクリップを提供し、本考案（５）は、該挟持部の上端と該軸支中心を結ぶ直線距離（Ｈ３）が、該挟持部の上下方向の長さ（Ｈ１）の０．９〜１．１倍である前記ポップクリップを提供し、本考案（６）は、該クリップ部は、バネ装着された一対のクリップ本体部と、該一対のクリップ本体部の一方から延出する略半円形断面の軸支円板部を有し、該略半円形断面の軸支円板部の端面と、該端面と当接する該クリップ支持部に内蔵されたに当接板とでラチェット機構を構成する前記ポップクリップを提供し、本考案（７）は、該クリップ部は、該クリップ支持部に対して、少なくとも９０度回動自在である前記ポップクリップを提供し、本考案（８）は、該クリップ支持部は、該挟持部の固定位置から斜め下方に延出するものである前記ポップクリップを提供し、本考案（９）は、該ポップが、陳列される商品情報等が記載されたポップ紙又はポップ板である前記ポップクリップを提供し、本考案（１０）は、前記ポップクリップを商品陳列棚のＰＯＳレールに装着されるポップ紙保持装置の上方に回動可能なカードホルダー部に装着してなるポップクリップ装着ポップ紙保持装置を提供し、本考案（１１）は、上下複数段の商品陳列棚に該ポップクリップの複数個を、各段毎に１個ずつ鉛直方向に並べて装着し、１枚の縦長のポップを各クリップで挟持する前記ポップクリップ装着ポップ紙保持装置を提供し、本考案（１２）は、１枚の縦長のポップを各ポップクリップで挟持したまま、該カードホルダー部を少なくとも６０度回動可能である前記ポップクリップ装着ポップ紙保持装置を提供し、本考案（１３）は、該カードホルダー部を７０度回動可能である前記ポップクリップ装着ポップ��保持装置を提供するものである。
【考案の効果】
【０００８】
本考案のポップクリップ及びポップクリップ装着ポップ紙保持装置によれば、上下複数段の商品陳列棚のポップ紙保持装置にポップクリップを各々設置して、１枚の縦長のポップ紙を挟持する場合であっても、該縦長のポップを各ポップクリップで挟持したまま、ポップ紙保持装置のカードホルダー部を少なくとも６０度回動可能にすることができる。
【考案を実施するための最良の形態】
【０００９】
本考案の実施の形態におけるポップクリップ及びポップクリップ装着ポップ紙保持装置を図１〜図１１を参照して説明する。図１は本例のポップ紙保持装置に装着されたポップクリップの斜視図、図２は図１の装着状態からカードホルダー部を回動させた状態の図、図３は本例のポップクリップの側面図、図４は本例のポップクリップの正面図、図５は本例のポップクリップの平面図、図６は商品陳列棚のＰＯＳレールに装着されたポップ紙保持装置の側面図、図７は図６のポップ紙保持装置に装着されたポップクリップの側面図、図８はラチェット機構を説明する一部を断面で示す図、図９は本実施の形態におけるポップクリップ装着ポップ紙保持装置の側面図、図１０は図９のポップクリップ装着ポップ紙保持装置の使用状態を説明する図、図１１はポップクリップ軸支中心の位置を説明する図である。本明細書中、ポップクリップにおける鉛直方向及び水平方向は、挟持部本体が鉛直姿勢状態の場合の方向を言う。
【００１０】
ポップクリップ１０は、上下方向の長さ（Ｈ１）が５０〜９０ｍｍ、本例では約７０．６ｍｍのケース状の挟持部１と、挟持部１の下方側に固設されるクリップ支持部２と、クリップ支持部２に回動自在に軸支されるクリップ部３とからなり、軸支中心ａが、鉛直方向に対して挟持部１の下端ｃから上方へ１０ｍｍ（Ｈ２）の位置より下方の位置、本例では下端ｃから上方へ３．１ｍｍ（Ｈ２）の位置にある。
【００１１】
ケース状の挟持部１が、正面視が矩形状の挟持部本体と、挟持部本体から屈曲し、内側に延出する上下一対の係り止め部を備える場合、軸支中心ａの採り得る範囲を図１１を参照して説明する。図１１中、軸支中心ａは、鉛直方向の上端位置が該挟持部の下端から上方へ１０ｍｍ（符号ｌ）、鉛直方向の下端位置が該挟持部の下端ｙ、水平方向の左端位置が該挟持部本体１１の表面１１１から１５ｍｍ（符号ｍ）離れた位置、水平方向の右端位置が該挟持部本体１１の表面から６ｍｍ（符号ｎ）離れた位置で区画される矩形状領域Ａと、該挟持部１の下方係り止め部の屈曲内側部分の最下点（符号ｘ）を中心に半径７．２（符号ｐ）〜半径１６．２ｍｍ（符号ｑ）の範囲で区画され且つ該下方係り止め部の屈曲内側部分の最下点（符号ｘ）から延出する鉛直線ｒ及び水平線ｓで区画される１/４輪状領域Ｂの両方の領域（図中の斜線部分）にあるものが好適である。
【００１２】
また、ポップクリップ１０は、挟持部１の上端ｂと軸支中心ａを結ぶ直線距離（Ｈ３）が、挟持部１の上下方向の長さ（Ｈ１）の０．８〜１．２倍、好ましくは０．９〜１．１、本例では０．９８である。挟持部１と軸支中心ａの位置関係が上記いずれか一方の要件を満たすものであれば、上下複数段の商品陳列棚のポップ紙保持装置にポップクリップ１０を各々設置して、１枚の縦長のポップ紙を挟持する場合であっても、該縦長のポップを各ポップクリップで挟持したまま、ポップ紙保持装置のカードホルダー部を少なくとも６０度回動可能にすることができる。なお、ポップとしては、特に制限されず、通常、陳列される商品情報等が記載されたポップ紙又はポップ板である。
【００１３】
ポップクリップ１０において、ケース状の挟持部１は、正面視が矩形状の挟持部本体１１と、挟持部本体１１の上方端から屈曲し、内側に延出して狭い開口１２１を有する上方係り止め部１２と、挟持部本体１１の下方端から屈曲し、内側に延出して上方の開口１２１より大きな開口を有する下方係り止め部１３と、を備える。ケース状の挟持部１はポップ紙保持装置２０のカードホルダー部２９の前方板２４に対して、ほとんど隙間無く係合する。従って、上下係り止め部１２、１３間の内寸法はカードホルダー部２９の前方板２４の高さ寸法と同じか、又は若干小さめである。
【００１４】
クリップ支持部２は挟持部１の下方側に固設される。本例では、挟持部１の下方側に固設され、挟持部１の固定位置から斜め下方に延出する板状部材の先端が隙間（割れ）を形成して側面視半円形の一対の腕部２１、２２を形成している。これにより、挟持部１に対する軸支中心ａを上記特定の位置に形成できると共に、ポップ紙等を安定に挟持する強度を付与できる。また、クリップ部３の回動自在の装着を容易にしている。また、クリップ支持部２にはクリップ部３の略半円形断面の軸支円板部３３の微小凹凸３６と当接する同様の微小凹凸２６を有する固定当接板２３を内蔵している。固定当接板２３の微小凹凸２６と軸支円板部３３の微小凹凸３６とでラチェット機構を形成する（図８参照）。なお、クリップ支持部２に対しクリップ部３が微小ピッチで回動及び固定ができる機構としては、上記のラチェット機構に限定されず、摩擦による回動及び固定等の機構であってもよい。
【００１５】
クリップ部３は、バネ３２２が装着された一対のクリップ本体部３１、３２と、一対のクリップ本体部３１、３２の一方のクリップ本体部３１から延出する略半円形断面の軸支円板部３３を有し、略半円形断面の軸支円板部３３がクリップ支持部２の一対の腕部２１、２２間に隙間に挿入され、一対の腕部２１、２２と軸支円板部３３との凹凸嵌合により回転自在に固定されると共に、略半円形断面の軸支円板部３３の周面に形成された微小凹凸形状３６と、クリップ支持部２に内蔵された固定当接板２３の微小凹凸２６とが噛み合う。他方のクリップ本体部３２は把持部３２１を備えると共に、一方のクリップ本体部３１に板バネ３２２により固定される。クリップの挟持力は上記のような屈曲された板バネ３２２の力に限定されず、スプリングバネを利用したバインダーによる挟持方法や、いわゆるカードケース状の挟持方法であってもよい。クリップ部３は、クリップ支持部に対して、少なくとも９０度回動自在、本例では９６度回動自在である。
【００１６】
次に、本実施の形態におけるポップクリップ装着ポップ紙保持装置を図６、図７、図９及び図１０を参照して説明する。先ず、ポップクリップが装着されるポップ紙保持装置を説明する。ポップ紙保持装置は、公知のものが使用でき、商品陳列棚のＰＯＳレールに装着されるものであって、上方に回動可能なカードホルダー部を前方部材として備えるものであればよい。左右の長さ寸法は特に制限されず、使用方法に応じて適宜決定される。本例のポップ紙保持装置２０は、ＰＯＳレール１０２と陳列棚１０１間に形成される前方係合溝１０４に係合する係合片２８を有し、係合片２８から上方に延出する基板２１と、基板２１の上方端で軟質ヒンジ２２を介して固定されるカードホルダー部２９とを備えるものである。カードホルダー部２９は、上方端が軟質ヒンジ２５１と接続する後方板２４ｂと、後方板２４ｂの下方端はＰＯＳレール１０２下端近傍から屈曲して上方に延出し、軟質ヒンジ２５１の近傍で後方板２４ｂと開口２５を有して密着する前方板２４ａを有している。また、基板２１の後方で且つ陳列棚１０１上に載置される後方係合片２６１を付設して例えば商品仕切り板の前方部材（不図示）が係合する係合溝２７を形成している。このような、ポップ紙保持装置２０は、カードホルダー部２９がＰＯＳレール１０２の表示寸法より大きいため、大きな商品情報表示カード（不図示）を装着できる。また、カードホルダー部２９は上方へ回動自在であるため、必要に応じてＰＯＳレール１０２の表示内容を見ることや、作業者が表示内容を交換することができる。なお、ヒンジの形態としては、特に制限されず、上記軟質ヒンジの他、回転ヒンジなどを挙げることができる。
【００１７】
ポップクリップ１０は、ポップ紙保持装置２０の左右方向の任意の場所に取り付ければよい。すなわち、ポップクリップ１０の挟持部１の上方係り止め部１２をポップ紙保持装置２０の前方板２４ａの上方縁へ係合させ、次いで、下方係り止め部１３をポップ紙保持装置２０の前方板２４ａの下方縁に対して押し込むようにして係合させる。図７は、ポップクリップ１０をポップ紙保持装置２０に装着させた状態において、ポップ紙Ａをクリップ部３に挟持させたものである。ポップ紙Ａの表示を傾斜状にしたい場合は、クリップ部３を手で回せばラチェット機構により作用力の分だけ回動して止まる。回動範囲は、本例では０〜９６度の範囲内であり、この範囲の任意の位置で固定できる。また、ＰＯＳレール１０２の表示内容を変更したい場合、カードホルダー部２９を手でめくり上げればＰＯＳレール１０２の前面が開放状態となり、作業が容易に行える（図９参照）。
【００１８】
また、ポップクリップ装着ポップ紙保持装置４０は、上下複数段の商品陳列棚に該ポップクリップの複数個を、各段毎に１個ずつ鉛直方向に並べて装着し、１枚の縦長のポップをクリップ支持することができる。これにより、複数段に亘って陳列された商品を１枚の縦長のポップ紙で顧客に情報を提示することができ、セールの演出を高めることができる。また、ポップクリップ装着ポップ紙保持装置４０は、ポップクリップ１０において、挟持部１と軸支中心ａの位置関係が上記特定の範囲内であるため、上下複数段の商品陳列棚のポップ紙保持装置にポップクリップ１０を各々設置して、１枚の縦長のポップ紙を挟持する場合であっても、該縦長のポップを各ポップクリップで挟持したまま、ポップ紙保持装置のカードホルダー部を少なくとも６０度、本例では７０度回動可能にすることができる。このため、カードホルダー部２９を上方に回動させ、必要に応じてＰＯＳレール１０２の表示内容を見ることや、作業者が表示内容を交換することができる。
【図面の簡単な説明】
【００１９】
【図１】本例のポップ紙保持装置に装着されたポップクリップの斜視図である。
【図２】図１の装着状態からカードホルダー部を回動させた状態の図である。
【図３】本例のポップクリップの側面図である。
【図４】本例のポップクリップの正面図である。
【図５】本例のポップクリップの平面図である。
【図６】商品陳列棚のＰＯＳレールに装着されたポップ紙保持装置の側面図である。
【図７】図６のポップ紙保持装置に装着されたポップクリップの側面図である。
【図８】ラチェット機構を説明する一部を断面で示す図である。
【図９】本実施の形態におけるポップクリップ装着ポップ紙保持装置の斜視図である。
【図１０】図９のポップクリップ装着ポップ紙保持装置の使用状態を説明する図である。
【図１１】ポップクリップ軸支中心の位置を説明する図である。
【図１２】従来例のポップクリップの側面図である。
【図１３】図１２のポップクリップの正面図である。
【図１４】図１２のポップクリップの平面図である。
【図１５】図１２のポップクリップ装着ポップ紙保持装置の使用状態を説明する図である。
【符号の説明】
【００２０】
１      挟持部
２      クリップ支持部
３      クリップ部
１０    ポップクリップ
１１    挟持部本体
１２    上方係り止め部
１３    下方係り止め部
２０    ポップ紙保持装置
２１、２２  一対の腕部
２３      固定当接板
２４ａ    前方板
２４ｂ    後方板
２６、３６    微小凹凸
２９    カードホルダー部
３１、３２    クリップ本体部
３３    軸支円板部
４０    ポップクリップ装着ポップ紙保持装置
【図１】
0003107283.tif 000003
【図２】
0003107283.tif 000004
【図３】
0003107283.tif 000005
【図４】
0003107283.tif 000006
【図５】
0003107283.tif 000007
【図６】
0003107283.tif 000008
【図７】
0003107283.tif 000009
【図８】
0003107283.tif 000010
【図９】
0003107283.tif 000011
【図１０】
0003107283.tif 000012
【図１１】
0003107283.tif 000013
【図１２】
0003107283.tif 000014
【図１３】
0003107283.tif 000015
【図１４】
0003107283.tif 000016
【図１５】
0003107283.tif 000017